(57)【特許請求の範囲】
【請求項１】
住宅の基礎における床下土間コンクリートの一部領域を仕切る枠と、
該枠内に仕切りを有し、
該枠及び／又は該仕切りが、保管・搬送時に折り曲げることが可能であり、枠の基礎に最も近い位置に設置される枠壁の上端の少なくとも一部は、他の枠壁の上端よりも低く形成されている仕切型枠。
【請求項２】
該枠に対して該仕切りが取り外し可能であるか、取り外すことなく折り曲げ可能である請求項１に記載の仕切型枠。
【請求項３】
該仕切りの内部には空間が形成されている請求項１又は２に記載の仕切型枠。
【請求項４】
枠を構成する枠壁の内の少なくとも一つは、仕切型枠の上面が開くように傾斜してなる請求項１〜３のいずれかに記載の仕切型枠。
【請求項５】
枠内における仕切りの設置位置は任意に変更可能である請求項１〜４のいずれかに記載の仕切型枠。
【請求項６】
予め請求項１〜５のいずれかに記載の仕切型枠を設置して、当該仕切型枠の中央に管体を保持させて、その後、コンクリートを打設して住宅の基礎における床下土間コンクリートを形成しておき、
前記管体を交換又はメンテナンスするときに、前記仕切型枠の内側のコンクリートに衝撃を与えて破砕し、
次いで、破砕したコンクリートを取り除いて管体を交換又はメンテナンスし、
その後、前記仕切型枠の内側にコンクリート又はモルタルを打設することを特徴とする土間コンクリート貫通配管のメンテナンス方法。
【請求項７】
予め請求項１〜６のいずれかに記載の仕切型枠を埋設した状態でコンクリートを打設して住宅の基礎における床下土間コンクリートを形成しておき、
当該土間コンクリートに管体を貫通させる必要が生じたときに、前記仕切型枠の内側のコンクリートに衝撃を与えて破砕し、
次いで、当該破砕したコンクリートを取り除いて管体を配設し、
その後、前記仕切型枠の内側にコンクリート又はモルタルを打設することを特徴とする土間コンクリート貫通配管の後付方法。
【請求項８】
住宅の基礎における床下土間コンクリートの一部領域を仕切る枠と、
該枠内に仕切りを有し、
該枠及び／又は該仕切りが、保管・搬送時に折り曲げることが可能であり、該枠に対して該仕切りを取り外すことなく折り曲げ可能である仕切型枠。
【請求項９】
該仕切りの内部には空間が形成されている請求項８に記載の仕切型枠。
【請求項１０】
枠を構成する枠壁の内の少なくとも一つは、仕切型枠の上面が開くように傾斜してなる請求項８又は９に記載の仕切型枠。
【請求項１１】
枠の基礎に最も近い位置に設置される枠壁の上端の少なくとも一部は、他の枠壁の上端よりも低く形成されている請求項８〜１０のいずれかに記載の仕切型枠。
【請求項１２】
枠内における仕切りの設置位置は任意に変更可能である請求項８〜１１のいずれかに記載の仕切型枠。
【請求項１３】
予め請求項８〜１２のいずれかに記載の仕切型枠を設置して、当該仕切型枠の中央に管体を保持させて、その後、コンクリートを打設して住宅の基礎における床下土間コンクリートを形成しておき、
前記管体を交換又はメンテナンスするときに、前記仕切型枠の内側のコンクリートに衝撃を与えて破砕し、
次いで、破砕したコンクリートを取り除いて管体を交換又はメンテナンスし、
その後、前記仕切型枠の内側にコンクリート又はモルタルを打設することを特徴とする土間コンクリート貫通配管のメンテナンス方法。
【請求項１４】
予め請求項８〜１２のいずれかに記載の仕切型枠を埋設した状態でコンクリートを打設して住宅の基礎における床下土間コンクリートを形成しておき、
当該土間コンクリートに管体を貫通させる必要が生じたときに、前記仕切型枠の内側のコンクリートに衝撃を与えて破砕し、
次いで、当該破砕したコンクリートを取り除いて管体を配設し、
その後、前記仕切型枠の内側にコンクリート又はモルタルを打設することを特徴とする土間コンクリート貫通配管の後付方法。
【発明の詳細な説明】
【技術分野】
【０００１】
本発明は、住宅の基礎における床下土間コンクリート（以降、これらをまとめて土間コンクリートという。）に管体を貫通させる際に用いる仕切型枠、この仕切型枠を用いた土間コンクリート貫通配管のメンテナンス方法、及び土間コンクリート貫通配管の後付方法に関し、特に、土間コンクリートに貫通した管体のメンテナンスや交換を容易にする仕切型枠、土間コンクリート貫通配管のメンテナンス方法、及び土間コンクリート貫通配管の後付方法に関する。
【背景技術】
【０００２】
近年住宅の建築においては住宅の長寿命化に伴い、また、長期優良住宅認定制度の施行に伴い、各部位に高いメンテナンス性が求められている。従来、住宅の床下から基礎を貫通して外部に敷設される給水管、排水管等の床下配管を施工するときには、まず土間コンクリートを打設する前に給水配管、排水配管等の管体を床下の地面上に敷設しておき、その後、土間コンクリートを打設して各配管の管体を土間コンクリート内に埋設させて施工していた。
【０００３】
しかし、このような施工方法を採用すると、管体と土間コンクリートとが一体となるので、経年後のメンテナンスや増改築等を行うに際して管体の取付、交換、又は除去が必要になった場合、土間コンクリートの相当部分を打ち壊す必要が生じ、工事が大掛かりとなり、工期も長くなるという問題があった。
【０００４】
そこで、図７に示すように、布基礎１００の屋内側に隣接させて上方が開放される中空のコンクリート体であるピット部１０１を形成し、布基礎の屋内側の内このピット部１０１を除いた部分に土間コンクリート１０２を打設することにより、ピット部１０１内を利用して排水管１０３を配管するようにした配管構造１０４が提案されている（例えば特許文献１）。これによると布基礎１００を貫通する排水管１０３が屋内側に形成されたピット部１０１で屋内に引き込まれるので、経年後のメンテナンスや増改築等を行うに際して、土間コンクリート１０２を打ち壊す必要がなく排水管１０３の取付け、交換、又は除去を、容易且つ短期間で行うことができる。
【０００５】
また、特許文献２に記載するように、土間コンクリートの一部領域を仕切る枠体と、該枠体の中央に管体を保持可能に形成されたホルダーと、を備え、その表面がコンクリートから剥離容易に形成された仕切型枠であって、前記ホルダーは、前記管体を保持するとともに、２以上に分離可能な管保持部と、該管保持部から前記枠体に向かって伸びて当該枠体の内面に形成された係止溝にその端部が係止される複数の壁部とを有することを特徴とする仕切型枠も知られている。また弾性体からなるヒレ体を設けることも知られている。
【先行技術文献】
【特許文献】
【０００６】
【特許文献１】特開２００２−２２７４１０号公報
【特許文献２】特開２０１２−７３７３号公報
【発明の概要】
【発明が解決しようとする課題】
【０００７】
しかし、上述のようなピット部１０１を形成するためには複雑な形状の型枠が必要であり、作業工程も多くなるので、コストが高くなる問題がある。また仕切型枠を使用する方法では、管体を更新やメンテナンスをするためにコンクリートを打ち壊し始める際に、予め仕切型枠内に空間がないので、打ち壊されるコンクリートが横方向に移動される余地がなく、最初にコンクリートにひびを入れてコンクリート片を取り始めることが困難であった。
これは、弾性体からなるヒレ体を使用しても同様で、コンクリートを打ち壊し始めるときには、打撃を加えられたコンクリート部分が該弾性体に向けて移動しようとしても、弾性体自体はその形状を変えることができない程度にコンクリート内に埋設されているので、結局のところ該打撃を加えられたコンクリート部分は弾性体に向けて移動することができない。
【０００８】
そこで本発明は、土間コンクリートを貫通する管体のメンテナンスを容易にすることができる仕切型枠であって、簡単な施工工程で、将来的なリフォームにも対応することができ、リフォーム時のコンクリートを打ち壊しやすい仕切型枠、土間コンクリート貫通配管のメンテナンス方法、土間コンクリート貫通配管の後付方法を提供することを目的とする。
【課題を解決するための手段】
【０００９】
１．住宅の基礎における床下土間コンクリートの一部領域を仕切る枠と、
該枠内に仕切りを有し、
該枠及び／又は該仕切りが、保管・搬送時に折り曲げることが可能である仕切型枠。
２．該枠に対して該仕切りが取り外し可能であるか、取り外すことなく折り曲げ可能である１に記載の仕切型枠。
３．該仕切りの内部には空間が形成されている１又は２に記載の仕切型枠。
４．枠を構成する枠壁の内の少なくとも一つは、仕切型枠の上面が開くように傾斜してなる１〜３のいずれかに記載の仕切型枠。
５．枠の基礎に最も近い位置に設置される枠壁の上端の少なくとも一部は、他の枠壁の上端よりも低く形成されている１〜４のいずれかに記載の仕切型枠。
６．枠内における仕切りの設置位置は任意に変更可能である１〜５のいずれかに記載の仕切型枠。
７．予め１〜６のいずれかに記載の仕切型枠を設置して、当該仕切型枠の中央に管体を保持させて、その後、コンクリートを打設して住宅の基礎における床下土間コンクリートを形成しておき、
前記管体を交換又はメンテナンスするときに、前記仕切型枠の内側のコンクリートに衝撃を与えて破砕し、
次いで、破砕したコンクリートを取り除いて管体を交換又はメンテナンスし、
その後、前記仕切型枠の内側にコンクリート又はモルタルを打設することを特徴とする土間コンクリート貫通配管のメンテナンス方法。
８．予め１〜７のいずれかに記載の仕切型枠を埋設した状態でコンクリートを打設して住宅の基礎における床下土間コンクリートを形成しておき、
当該土間コンクリートに管体を貫通させる必要が生じたときに、前記仕切型枠の内側のコンクリートに衝撃を与えて破砕し、
次いで、当該破砕したコンクリートを取り除いて管体を配設し、
その後、前記仕切型枠の内側にコンクリート又はモルタルを打設することを特徴とする土間コンクリート貫通配管の後付方法。
【発明の効果】
【００１０】
本発明によれば、住宅の基礎における床下土間コンクリートの一部領域を仕切る枠と仕切りを有する仕切型枠において、該枠及び／又は該仕切りが、保管・搬送時に折り曲げることが可能であることにより、この仕切型枠を製造した後に、保管したり搬送したりする際に仕切型枠の容積を減少させることができるので、保管や搬送に要する室内の大きさを削減でき、かつ人が手に持って搬送する際にもより持ちやすく、また台車やフォークリフト等の搬送装置による搬送時においても、一度により多くの仕切型枠を搬送することができる。
施工現場においては、折り曲げた仕切型枠を拡げるだけですぐに施工を行うことができ、例えば仕切りを構成する板片を組み立てる等の手間を掛ける必要がなく、より早く的確に仕切型枠を準備して施工することが可能になる。
なお、本発明における折り曲げるとは、折ったり曲げたりすることに加えて、いわゆる畳む形態を包含する。
それに加えて、仕切りの内部には空間が形成されて、そのような仕切り内を貫通するように、管体を埋設しておくことで、管体を交換やメンテナンス、土間コンクリート貫通配管を後付する際に、仕切型枠内のコンクリートに衝撃を与えることで、仕切型枠外の土間コンクリートを破損することなく、仕切型枠内のコンクリートのみを極めて容易に破砕することができる。
特に仕切りに設けた空間の存在によって、衝撃を受けたコンクリートが該空間に移動できるので、該コンクリートにひびや空隙を形成させやすく、コンクリート片とすることがより容易となる
【図面の簡単な説明】
【００１１】
【図１】仕切型枠の構成を示す斜視図。
【図２】基礎、配管及び仕切型枠の断面図。
【図３】仕切型枠の正面図及び折り畳んだ仕切り型枠の施工時の展開方法を示す図。
【図４】メンテナンス方法の説明図。
【図５】メンテナンス方法の説明図。
【図６】メンテナンス方法の説明図。
【図７】従来例。
【図８】別の態様の仕切型枠の構成を示す斜視図。
【発明を実施するための形態】
【００１２】
以下、本発明の仕切型枠１、土間コンクリート貫通配管のメンテナンス方法、及び土間コンクリート貫通配管の後付方法の最良の実施形態について、各図を参照しつつ説明する。この実施形態の仕切型枠１は、図１に示すように、枠２と、この枠２の内側に設けられた仕切り３により構成されている。
【００１３】
図１及び図１の仕切型枠を設置してなる、図２の基礎、配管及び仕切型枠の断面図に示すように、枠２は、高さが約６０〜２００ｍｍで、基礎５の外周立上がり部６に対して平行に配置された長さが３００〜５００ｍｍ程度の枠壁２１ａ、２１ｂと、基礎５の外周立上がり部６に対して垂直に配置された長さが３００〜５００ｍｍ程度の枠壁２１ｃ、２１ｄと、により上下に開放された長方形状又は正方形状に形成されている。但し、この枠壁の高さや長さは施工現場の実情に応じ、上記の範囲を超えて変更し得る。
そして、図２に示すように施工した場合、基礎５に最も近い枠壁２１ｂはその上端の少なくとも一部を他の枠壁よりも１０から３０ｍｍ低くすることができる。また図１に示した枠壁２１ａ〜２１ｄの内側面にはそれぞれ長さ方向を均等に４分割するように３本の凸条２２のような凸部や、又は凹部が形成されている。このような枠の内壁面に設けた凸部又は凹部に仕切り３を嵌合させることにより、枠２と仕切り３を互いに固定することができる。
【００１４】
また、枠２の４つの角２３及び２４は直角の角でもよく、図２において、設置したときに基礎５の外周立上がり部６から離反する側の２隅２３がそれぞれ円弧状に湾曲して形成されていてもよい。このときには、２隅２３が尖らないので土間コンクリート７打設後の乾燥時にコンクリートクラックが発生することを抑制することができる。枠２の基礎５の外周立上がり部６に近接する側の２隅２４には、図２に示すように、上下にそれぞれ外周立上がり部６に向かって５０ｍｍ程度以上突出するスペーサ２５を形成することもできる。このスペーサ２５は先端が基礎５の外周立上がり部６に当接することにより、枠２を鉛直に立ち上がっている外周立上がり部６に対して平行に保持することができ、枠２の高さ方向を鉛直に保つことができる。また、外周立上がり部６に近接する枠２の枠壁２１ｂと外周立上がり部６との間に５０ｍｍ程度以上のスペースを開けることができるので、枠壁２１ｂと外周立上がり部６との間に確実にコンクリートを打設することができる。
【００１５】
また、図２において、枠２の基礎５の外周立上がり部６に近接する枠壁２１ｂの下部は下方に２０ｍｍ程度突出して形成されている。したがって、枠２の下の地面ＧＬに埋設されている管体Ｐとの間に少なくとも２０ｍｍ程度の間隔を保持することができるので土間コンクリート打設時に管体Ｐの一部がコンクリートに埋設されることを防ぐことができる。
但し、必要がなければ突出させなくてもよい、このときには、枠２の各枠壁の下部は同一面にある。
また予め折り曲げて保管・搬送してなる枠を、施工時にはその折り曲げ部分を伸ばしたり、折り曲げ角度を変更したりして使用することができ、そのときには、その折り曲げ部にヒンジ部を設けることができる。
また、折り曲げ部を伸ばした状態にて保管・搬送してなる枠を、施工時にはその折り曲げ部を曲げて使用することができ、そのときには、その折り曲げ部にヒンジ部を設けることができる。
【００１６】
枠２の特に内面は、コンクリートに対する剥離性の高い樹脂により形成されている。なお、枠２は、例えばコンクリートに対する剥離性の低い樹脂又は木材で形成し、その表面にコンクリートに対する剥離性の高い樹脂シート等を貼付するものであってもよい。
また、配管のメンテナンス等の後に、仮に枠２のみを継続して使用することを考慮して、枠２の外面をコンクリートに対して剥離性の低い樹脂や、金属、木材で形成し、枠２の内面をコンクリートに対して剥離性の高い樹脂により形成することもできる。
【００１７】
本発明において、仕切り３は枠２に対して取り外し可能に取り付けられることができ、また図１に示す仕切り３として複数の板片から構成してもよい。例えば図１においては、枠２内を２つの仕切り３により５つの区域に分割しているが、図１に示すように仕切り３をＴ字状とするために、互いに取り外し可能な２枚の板片により構成することができる。
このように仕切り３を枠２に対して取り外し可能に取り付ける際に、施工前の保管・搬送時において、例えば、２つの仕切り３はそれぞれ２枚の板片に分けておくことができ、さらに四角形の枠２は対向する辺を重ねるように折り曲げて（畳んで）１枚の板状にすることや、さらに必要に応じて２つ折り又は３つ折り等することができる。
また、図１に示す仕切型枠において、２つの仕切り３をいずれもＴ字状ではなく１つずつの板片、つまりＩ字状により構成して枠２内を３つの区画に分ける際、つまり漢字の「目」状の構造とする際には、図３（ｉ）〜（ｋ）に示すように、製造時にて仕切り３を枠２に一体化させた状態としておき、仕切り３を枠２から取り外すことなく、上記のように例えば四角形の枠２は対向する辺を重ねるように折り曲げても、全体としてあたかも１枚の板状とすることができる。
このようにして、本発明の仕切型枠は施工前の保管・搬送時において、折り曲げて容積を減少させることができるので、上記のように保管や搬送に要する室内の大きさを削減でき、かつ人が手に持って搬送する際にもより持ちやすく、また台車やフォークリフト等の搬送装置による搬送時においても、一度により多くの仕切型枠を搬送することができる。
さらに施工現場においては、折り曲げてある仕切型枠を拡げるだけですぐに施工を行うことができ、例えば仕切りを構成する板片を組み立てる等の手間を掛ける必要がなく、より早く的確に仕切型枠を準備して施工することが可能になる。
【００１８】
本発明において、仕切り３は２重の壁から構成され、その壁の間に空間を設けてもよく、また、仕切り３自体を発泡体から形成させることにより内部に空間を形成させても良い。
【００１９】
このような仕切型枠１を用いて、建物の床下配管を施工する際には、図２に示すように、まず、地盤の所定位置を溝状に掘削して、図示しない割栗石、捨てコン等を敷設した上に、基礎５を構築する。基礎５内部には鉄筋５１が配設されるとともに、基礎５の地面ＧＬよりも低い位置にスリーブ５２が貫通して設けられている。そして、次に、スリーブ５２に管体Ｐを挿入するとともに、エルボ８を介して、管体Ｐが上方を向くように配設する。
【００２０】
そして管体Ｐを配設した後、地面ＧＬを埋め戻し、図示しない粒状防蟻剤などを処理した上で、図２に示すように仕切型枠１を設置する。外周立上がり部６の屋内側面には、土間コンクリート７の上面の高さ位置に墨打ちがされており、仕切型枠１の上端がこの墨打ち位置に当接するように仕切型枠１を配置する。また、必要に応じて、仕切型枠１の外周立上がり部６側にはスペーサ２５が形成されており、このスペーサ２５が外周立上がり部６に当接することにより、仕切型枠１を水平に保持することができる。
【００２１】
仕切型枠１の外周立上がり部６側の枠壁２１ｂは、下部が例えば２０ｍｍ突出して形成された場合には、この突出する部分を地面ＧＬに埋め込んでおく。そして、図２に示すように、次に外周立上がり部６の内側に土間コンクリート７を打設するとともに、仕切型枠１内にもコンクリートを打設する。仕切型枠１の外周立上がり部６側の枠壁２１ｂを、例えば下部が２０ｍｍ地面ＧＬに埋め込まれていると、管体Ｐは少なくとも２０ｍｍ以上地面ＧＬから下方に埋設されているので、管体Ｐの一部がコンクリート内に埋め込まれることを防ぐことができる。
【００２２】
枠２の基礎５側の枠壁２１ｂはその高さを他の枠壁よりも低くされている場合、基礎５から仕切枠壁内に向けて土間コンクリート表面層が連続して形成されるので、土間コンクリートにヒビを生じることなく、仕切枠壁内においても十分な強度を備えることができる。
また図２において、内部に空間４を有する仕切り３の高さを枠２よりも低くした場合には、仕切型枠１内において、土間コンクリートは仕切り３により分断されることなく、仕切り３の上部を超えて仕切り３の内外の土間コンクリートが連続することになり仕切型枠内において土間コンクリートが十分な強度を有することができる。
【００２３】
以上のように、場合により、土間コンクリート７を打設する際に仕切型枠１内にもコンクリートを打設することができるので、一回の工程で土間コンクリート７と仕切型枠１内とにコンクリートを打設することができ、作業工程を少なくすることができ、養生時間を短縮することができるとともにコンクリートの品質管理を容易とすることができる。
【００２４】
本発明の仕切型枠１はその正面図でみた形状が、図１に対応する図３（ａ）のものでも良く、また仕切り３の形状や構造を変更した図３（ｂ）や（ｃ）等の形状でもよく、仕切り３により、枠２内を任意の形状の２〜６程度の数の区域に分けることができる。但し、土間コンクリートを割ることを考慮すると、１つの区域を小さくし過ぎないことが好ましい。
例えば図３（ｂ）の形状の仕切り３を採用するときには、仕切り３の４つの角がちょうど枠２の４つの壁のそれぞれの中央部に当接するようにすると、特に枠２の内壁に仕切り３を固定する手段を必ずしも設ける必要がない。また同様に図３（ｃ）に示すように仕切り３を円筒形状とすることにより、枠２と仕切り３との位置関係を固定することなく施工することも可能になる。
これらの仕切りの形状や枠内での設置位置は配管の外径、土間コンクリートを貫通する配管の傾き、及び配管の位置等に応じて任意に変更可能である。
【００２５】
そして例えば図３（ａ）に示す仕切型枠を用いて、現場にて施工する際には、図３（ｄ）に示すようにあたかも１枚の板状物のように平らに折り曲げられている枠２を用意し、これを矢印の方向に拡げるように展開して図３（ｅ）のようにし、さらに矢印方向に拡げて最後には図３（ｆ）に示す形状の枠２とする。また図３（ｇ）に示すように仕切り３を構成する２枚の長い板片と、２枚の短い板片を準備し、これを組み合わせて、図３（ｈ）に示すＴ字状の仕切り３を構成する。
そしてこれらにより得られた枠２と仕切り３を組み合わせて図３（ａ）に示す構造の仕切型枠とする。
なお、図３（ａ）で示す仕切型枠を製造する場合には、一旦製造した枠２を図３（ｄ）に示すように畳んでおくことになる。
【００２６】
また本発明において仕切り３の全てが二重の壁から形成されて内部に空間が形成されていても良く、仕切りの全ての内部に空間が形成されていなくても良い。例えば図３（ａ）や（ｂ）の場合において、枠２と接する仕切り３の部分、又はさらにその近傍の部分はコンクリートに打撃を与える場所に近くなる可能性が低いので、あえて空間を形成しなくても良い。そのような場合には、特に図３（ｂ）において、仕切り３をその空間がない部分、つまり枠２の内壁と接する部分において折り曲げ可能に形成することができ、仕切り３も枠２と同様にして畳むように折り曲げることができ、さらに本発明の仕切型枠の保管・配送・取り扱いを容易にすることができる。
また仕切りの内部に空間が形成された部分は、床下土間コンクリートの施工時に加圧されても潰れない程度の強度が必要である。加えて、管体のメンテナンス等においてコンクリートを破壊する際に、該仕切りを構成する二重の壁にかかる力によって、該内壁が曲げられる程度の弱さの強度に留めることも必要である。この強度の調整が可能な範囲で、該二重の壁の厚さを調整したり、二重の壁の内面及び／又は外面にリブを設けたり、あるいは、発泡体の強度を調整することができる。
また予め折り曲げて保管・搬送してなる仕切りを、施工時にはその折り曲げ部分を伸ばしたり、折り曲げ角度を変更したりして使用することができ、そのときには、その折り曲げ部にヒンジ部を設けることができる。
また、折り曲げ部を伸ばした状態にて、保管・搬送してなる仕切りを施工時にはその折り曲げ部を曲げて使用することができ、そのときには、その折り曲げ部にヒンジ部を設けることができる。
【００２７】
一方、以上のように構成した床下配管を経年劣化などにより交換、除去等のメンテナンスをする場合には、まず、図４に示されたように設置された仕切型枠１の内側のコンクリートに、例えば図５に示すようにハンマーＨ等により衝撃を与えることでヒビＣを発生させて、仕切型枠１内のコンクリートを破砕する。仕切型枠１はコンクリートに対する剥離性の高い樹脂で構成されており、例えば、図１に示すように仕切型枠１は仕切り３により内部が分割されているので、比較的容易にコンクリートを破砕することができる。
特に仕切り３は２重の壁からなりその間に空間４を有するので、図６に示すように、コンクリートの破砕と共に、該仕切り近くの破砕されたコンクリートが、破砕された勢いで該仕切り方向に移動されてこの空間４を圧縮すると同時に、コンクリートに発生したヒビＣが拡大する。
仕切り３に発泡体を採用した場合であっても、同様にコンクリートが破砕された勢いで発泡体内の空間が圧縮されるので、コンクリートに発生したヒビＣをより拡大することができる。
【００２８】
このようにして、破砕されたコンクリートは極めて容易に横方向に移動されるので、コンクリートにヒビや空隙を形成させることも極めて容易に行うことができる。このように仕切型枠１は内部のコンクリートを比較的容易に破砕することができる構成であるので、仕切型枠１の外側の土間コンクリート７を破損することを抑制することができる。そして、破砕したコンクリートを取り除いて、管体Ｐを交換又は除去する等のメンテナンスを行い、その後、仕切型枠１の内側に新たにコンクリート又はモルタルを打設することによりメンテナンスを終了させる。
【００２９】
このように、特に仕切型枠１の内壁、仕切りの両面はコンクリートに対する剥離性が高く、内側のコンクリートが仕切り３により複数に分割されているときには、極めて容易に破砕することができ、仕切型枠１の外側の土間コンクリート７を破損することなく、極めて簡単に管体Ｐのメンテナンスを行うことができる。
【００３０】
なお、新築の際には配管を貫通させない位置の土間コンクリート７に予め仕切型枠１を埋設しておくことで、将来的なリフォームに対応することもできる。具体的には、基礎５を打設する際に予めスリーブ５２を形成しておくとともに、土間コンクリート７を打設する際に仕切型枠１を埋設しておき、リフォームなどにより屋内から屋外に管体Ｐを敷設する必要が生じたときに、仕切型枠１内のコンクリートに衝撃を与えて破砕し、次いで、破砕したコンクリートを取り除いて、地面ＧＬを掘り起こしてスリーブ５２に挿入した管体Ｐを仕切型枠１のホルダーの管保持部に保持させて、その後、仕切型枠１の内側にコンクリート又はモルタルを打設することにより、新たに管体Ｐを敷設することができる。
【００３１】
このように、リフォームなどで新たに土間コンクリート７に管体Ｐを貫通させる必要が生じたときにも、仕切型枠１の内側のコンクリートに衝撃を与えることにより容易に破砕することができ、仕切型枠１の外側の土間コンクリート７を破損することなく極めて簡単に床下配管を新設することができる。
【００３２】
なお、本実施形態においては、図２などに示すように、管体Ｐを略直角のエルボ８で曲げた例を説明したが、床下配管の設計に応じて管体Ｐを略鉛直に保持するものと管体Ｐを略４５度に保持するものとを選択できる構成としてもよい。このように管体Ｐを略４５度で保持する場合、図２においてスリーブ５２に挿入された配管にエルボ８として、図２に示す略直角のものではなく、略４５度に曲がるものを介して屋内側に管体Ｐを引き込むことができる。
【００３３】
また別の態様として、図８に示すように、本発明の仕切型枠を構成する枠壁の内の少なくとも一つは、仕切型枠の上面が開くように傾斜していてもよい。
図８には、仕切型枠の枠２の例えば枠壁２１ａ、２１ｃ、２１ｄを仕切型枠の上面が開いた形状となるように、それぞれの枠壁の上辺を仕切型枠の外側に向けることにより、これらの枠壁を傾斜させた。また図８では枠壁２１ｂは垂直のものとしたが、他の枠壁のように傾斜させることもできる。また、図８では３つの枠壁を傾斜させたが、３つに限らず１つ以上傾斜させてもよい。
さらに図８に示すように、仕切り３についても、図１に示すように垂直に設置することなく、図８のように仕切型枠１の中央部に向けて、傾斜させるようにしてもよい。また平行する枠壁と同じ方向に向けて傾斜させることもできる。
このように各枠壁及び／又は仕切りを傾斜させておくことにより、仕切型枠内のコンクリートに衝撃を与えてヒビを発生させて撤去させるときに、最初にヒビが入ったコンクリート部分が、横方向にずれる動きをして、各枠壁や仕切りが有する傾斜された面の上を滑るように移動することができ、結果的にヒビが入ったコンクリート部分が単に横方向への移動でははく、傾斜された面を滑ることによる上方向への移動もでき、そのコンクリート片を取り出しやすくすることができる。底Ｂのように一部に底を設けてもよい。
【００３４】
なお、本発明の実施の形態は上述の形態に限ることなく、本発明の思想の範囲を逸脱しない範囲で適宜変更することができることは云うまでもない。
本発明の説明において仕切型枠１は、布基礎の建物床下に形成される土間コンクリート７に埋設されて土間コンクリート７を貫通する床下配管を保持する構成としたが、例えば仕切型枠１がベタ基礎のスラブに埋設されて、当該スラブを貫通する床下配管を保持する構成でもよい。
【産業上の利用可能性】
【００３５】
本発明に係る仕切型枠１、土間コンクリート貫通配管のメンテナンス方法、土間コンクリート貫通配管の後付方法は住宅の床下配管に好適に用いることができる。
【符号の説明】
【００３６】
１ 仕切型枠
２ 枠
３ 仕切り
４ 空間
７ 土間コンクリート
２１ａ〜ｄ枠壁
２２  凸条 
【図１】
0006508960.tif 000002
【図２】
0006508960.tif 000003
【図３】
0006508960.tif 000004
【図４】
0006508960.tif 000005
【図５】
0006508960.tif 000006
【図６】
0006508960.tif 000007
【図７】
0006508960.tif 000008
【図８】
0006508960.tif 000009